(57)【特許請求の範囲】
【請求項１】
上部が開口した飲料用容器本体と、
前記飲料用容器本体の上部開口部に被着され、液通孔を有する蓋本体と、
前記蓋本体とスライド嵌合により着脱自在に取り付けられ、前記液通孔をスライドさせて開閉するスライド蓋と、を有する飲料用容器の蓋体構造であって、
前記スライド蓋の左右両側面には、上下方向に切り欠いた縦切欠き部と前記縦切欠き部の上端から前記縦切欠き部と直角に切り欠いた横切欠き部が形成され、前記縦切欠き部と前記横切欠き部によって形成された弾性クリック部を設け、
前記弾性クリック部は左右方向外側に凸形状を有し、
前記蓋本体には前記弾性クリック部が摺動するスライド溝が形成され、
前記スライド溝には前記弾性クリック部の突出方向に凹状のクリック受部が形成され、
前記弾性クリック部が前記クリック受部に嵌合して前記スライド蓋が前記蓋本体に保持されることを特徴とする飲料用容器の蓋体構造。
【請求項２】
前記スライド蓋の後方面に切欠き部が形成され、
前記スライド蓋のスライド嵌合時に前記切欠き部を通過する位置決め突起が前記蓋本体に設けられ、
前記スライド蓋が前後逆の場合に、前記位置決め突起が前記スライド蓋と干渉して前記蓋本体にスライド嵌合できないことを特徴とする請求項１に記載の飲料用容器の蓋体構造。
【請求項３】
前記液通孔が前記蓋本体の外側に開放されて設けてあることを特徴とする請求項１又は２に記載の飲料用容器の蓋体構造。
【発明の詳細な説明】
【技術分野】
【０００１】
本発明は、金属製真空断熱タンブラーなどの飲料用容器の蓋体構造に関するものである。
【背景技術】
【０００２】
従来の飲料用容器の蓋体開閉構造としては、例えば、下記特許文献１，２で開示されているような構造がある。特許文献１では、煽り回動で飲み口の開閉をなす開閉部が軸装された蓋体が開示されているが、この開閉部は回動軸によって蓋体に軸着されており、蓋体から分離することができないため、軸着部を洗浄することが困難であった。また、飲み口を開口した状態で開閉部を保持する機構が設けられていないため、容器内の飲料を飲む際に開閉部が閉まってしまうという問題があった。
【０００３】
特許文献２では、蓋体の中心を支点として可動蓋を水平回動させて飲み口の開閉をなす蓋体が開示されているが、この可動蓋は蓋体から分離することができず、蓋体と可動蓋との隙間の洗浄が困難であった。また、可動蓋を固定する機構がないことから、可動蓋を所定の位置に保持することが困難であった。さらに液通孔が蓋の外周面より内側にあるため、飲む際に最後まで飲みきれず残水することがあった。
【先行技術文献】
【特許文献】
【０００４】
【特許文献１】登録実用新案第３１３６１７４号公報
【特許文献２】登録実用新案第３１３７７５０号公報
【発明の概要】
【発明が解決しようとする課題】
【０００５】
そこで本発明は、蓋体の構成部品が全て分離できることにより洗浄性が向上した飲料用容器の蓋体構造を提供することを第１の目的とする。
【０００６】
また、スライド蓋の弾性クリック構造により操作性が向上した飲料用容器の蓋体構造を提供することを第２の目的とする。
【０００７】
また、液通孔を外周面に設け、飲む際に残水を発生させないことを第３の目的とする。
【課題を解決するための手段】
【０００８】
請求項１の飲料用容器の蓋体構造は、上部が開口した飲料用容器本体と、前記飲料用容器本体の上部開口部に被着され、液通孔を有する蓋本体と、前記蓋本体とスライド嵌合により着脱自在に取り付けられ、前記液通孔をスライドさせて開閉するスライド蓋と、を有する飲料用容器の蓋体構造であって、前記スライド蓋の左右両側面には、上下方向に切り欠いた縦切欠き部と前記縦切欠き部の上端から前記縦切欠き部と直角に切り欠いた横切欠き部が形成され、前記縦切欠き部と前記横切欠き部によって形成された弾性クリック部を設け、前記弾性クリック部は左右方向外側に凸形状を有し、前記蓋本体には前記弾性クリック部が摺動するスライド溝が形成され、前記スライド溝には前記弾性クリック部の突出方向に凹状のクリック受部が形成され、前記弾性クリック部が前記クリック受部に嵌合して前記スライド蓋が前記蓋本体に保持されることを特徴とする。
【０００９】
請求項２の飲料用容器の蓋体構造は、前記スライド蓋の後方面に切欠き部が形成され、前記スライド蓋のスライド嵌合時に前記切欠き部を通過する位置決め突起が前記蓋本体に設けられ、前記スライド蓋が前後逆の場合に、前記位置決め突起が前記スライド蓋と干渉して前記蓋本体にスライド嵌合できないことを特徴とする。
【００１０】
請求項３の飲料用容器の蓋体構造は、前記液通孔が前記蓋本体の外側に開放されて設けてあることを特徴とする。
【発明の効果】
【００１１】
請求項１の発明によれば、スライド蓋が蓋本体に着脱自在にスライド嵌合されることで洗浄性を向上させることができる。また、蓋本体に形成されたクリック受部にスライド蓋に形成された弾性クリック部が嵌合することで、スライド蓋を所定の位置に確実に保持することができる。また、スライド蓋の両側面に形成された弾性クリック部の周囲に空間が設けてあるため、弾性クリック部に弾性を持たせることができ、弾性クリック部がクリック受部に嵌合する際のクリック感をより確実に感じることができる。
【００１２】
請求項２の発明によれば、スライド蓋を前後反対に取り付けようとすると、スライド蓋の前壁が蓋本体に形成された誤装入防止突起に干渉するため、スライド蓋の誤装入を防止することができる。
【００１３】
請求項３の発明によれば、液通孔が外周に開放されており、該開放部から前記スライド蓋をスライドさせて取り外すことができる。また、飲料用容器内の飲料を残水することなく最後まで飲みきることができる。
【図面の簡単な説明】
【００１４】
【図１】本発明の実施例１を示す飲料用容器の斜視図である。
【図２】同上、飲料用容器の縦断面図である。
【図３】同上、スライド蓋、蓋本体、および止水部材の分解斜視図である。
【図４】同上、スライド蓋の斜視図である。
【図５】同上、スライド蓋の正しい取付けの斜視図である。
【図６】同上、スライド蓋の誤った取付けの斜視図である。
【図７】同上、蓋体の底面図である。
【図８】同上、蓋体の斜視図である。
【図９】同上、飲料用容器の要部縦断面図である。
【発明を実施するための形態】
【００１５】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１６】
図１および図２は本発明の実施例１に係る飲料用容器を示しており、当該飲料用容器は、金属製真空断熱構造の飲料用容器本体１と飲料用容器本体１の上部開口部２を覆う蓋体３とで構成されている。
【００１７】
飲料用容器本体１は、上部が開口した有底円筒状の外容器４と、外容器４の内部に配設され、同じく上部が開口した有底円筒状の内容器５から構成されている。外容器４と内容器５とは、上部の開口部６で溶接により一体に接合され、外容器４と内容器５との間隙には真空断熱層７が形成される。なお、外容器４と内容器５は、いずれもステンレス鋼（例えば、ＳＵＳ３０４）によって形成される。
【００１８】
外容器４は、上下が開口した筒状の円筒部８と、円筒部８の下部に溶接により接合される浅底円筒状の底部９とから形成される２部品構造を有する。底部９の底面１０には、同心円状に上下３段構造の段部が形成されている。この段部は、底面１０の中央部に形成された上段部１１と、上段部１１の外周側に上段部１１よりも径大に形成された中段部１２と、中段部１２の外周側に中段部１２よりも径大に形成された下段部１３から構成されている。
【００１９】
上段部１１には、小孔状の排気孔１４が形成されると共に、その排気孔１４を封止する真空封止材１５が配設されている。排気孔１４は、外容器４と内容器５との間隙に連通しており、排気孔１４を介してこの間隙を排気した後、真空封止材１５によって排気孔１４を封止することにより、外容器４と内容器５との間隙に真空断熱層７が形成される。なお、真空封止材１５は、例えばＳｎ又はＳｎとＡｇ、Ｃｕ、Ｎｉ、ＢｉあるいはＺｎの合金からなる金属ろう材あるいはガラスろう材などを用いる。
【００２０】
下段部１３には、真空封止材１５を外部衝撃などから保護する薄円板状の保護板１６が取り付けられている。保護板１６は、外容器４および内容器５と同様にステンレス鋼によって形成され、耐熱性接着剤などによって下段部１３に取り付けられる。
【００２１】
また、下段部１３の真空断熱層７側の面には、真空断熱層７内から発生するガスを吸着するゲッター１７が配設されている。なお、ゲッター１７は排気孔１４を塞ぐ位置でなければ、真空断熱層７内の何れの場所に配設してもよい。
【００２２】
内容器５は、縦断面が略Ｕ字形状の１部品構造を有し、外容器４の内部に収納された状態では、開口部６の接続部分以外は外容器４と当接していない。
【００２３】
以下、蓋体３について詳述するが、図３に表示する矢印Ｆ方向を蓋体３の前側、矢印Ｂ方向を蓋体３の後側、矢印Ｌ方向を蓋体３の左側、矢印Ｒ方向を蓋体３の右側とする。
【００２４】
蓋体３は、飲料用容器本体１の上部開口部２を覆う蓋本体２１と、この蓋本体２１に形成された液通孔２２を開閉するスライド蓋２３と、止水部材２４とから構成されている。スライド蓋２３および止水部材２４は、蓋本体２１に対して容易に着脱可能であり、それぞれ別個に洗浄および乾燥をすることができる。なお、止水部材２４は、シリコーンゴムなどの合成ゴムで形成された、いわゆるパッキンである。
【００２５】
スライド蓋２３は、前側が前方に凸の円弧形状で、後側、左側、および右側が直線形状の小平板部２５を有し、小平板部２５の上面後側には前側に凸の半円形状の浅凹部２６が形成されている。この浅凹部２６は平面視で製品中心に位置し、後述する操作バー２７をつまむ際に指が当接する部分であり、操作バー２７をつまみ易くするためのものである。
【００２６】
小平板部２５の後側端面には、上方に立設した操作バー２７が形成されており、この操作バー２７の左右方向の幅は、小平板部２５の左右方向の幅よりも長く操作バー２７の左右両端は小平板部２５よりも左右方向に突出し、左右両端は平面視Ｒ形状を有している。使用者は、この操作バー２７を指でつまんでスライド蓋２３をスライドさせることにより、液通孔２２の開閉を行うことができる。
【００２７】
小平板部２５には、前側端部から下方に立設した前方壁２８と、後側端部から下方に立設した後方壁２９と、左側端部から下方に立設した左方壁３０と、右側端部から下方に立設した右方壁３１とが形成され、それぞれの下端は全て揃っており、スライド蓋２３を安定して載置できるようになっている。また、小平板部２５の下方側には前方壁２８、後方壁２９、左方壁３０、および右方壁３１によって囲まれた空間が形成されている。
【００２８】
前方壁２８は、下方に向かうにしたがって後側に傾斜している。これに対し、蓋体３を飲料用容器本体１に取り付け、液通孔２２を閉じた状態、すなわちスライド蓋２３を前側にスライドさせた状態で前方壁２８が当接する内容器５の内面部３２は、下方に向かって緩やかに径小に形成されている。これにより、前方壁２８の傾斜と内面部３２の傾斜が対応して当接するようになっている。
【００２９】
後方壁２９の下端中央部には、スライド蓋２３を蓋本体２１にスライド嵌合する際に、後述する誤装入防止突起３３を通過させるための誤装入防止切欠き部３４が形成されている。誤装入防止切欠き部３４は、略矩形状であって誤装入防止突起３３を通過可能な大きさを有する。
【００３０】
右方壁３１には、右側に水平に突出したスライド嵌合リブ３５が前後方向に形成されている。また、右方壁３１には、右方壁３１の後側であってスライド嵌合リブ３５の下方に、右方壁３１を上下方向に切り欠いた縦切欠き部３６と、縦切欠き部３６の上端から前側に右方壁３１を切り欠いた横切欠き部３７とが直角に接続された切欠き部３８が形成されている。この切欠き部３８によって形成された腕状の弾性部３９の先端には、外側に凸のクリックリブ４０が形成されている。弾性部３９の周囲に切欠き部３８が形成されることにより、弾性部３９の左右方向に対する可撓性が向上する。
【００３１】
左方壁３０には、右方壁３１と同様にスライド嵌合リブ３５、切欠き部３８、およびクリックリブ４０が形成されており、それぞれ右方壁３１に形成されたスライド嵌合リブ３５、切欠き部３８、およびクリックリブ４０と対向する位置関係となっている。
【００３２】
止水部材２４は、前側の一部が切り欠かれたリング形状のリング部４１と、リング部４１の切り欠かれた部分に接続され、リング部４１の内側方向に平面視倒コ字形状に形成されたコ字部４２とを有する。コ字部４２に形成された２箇所の折曲部４３は、内周および外周がＲ形状を有する。また、コ字部４２の上側面であるコ字部上面４４は、リング部４１の上側面であるリング部上面４５と面一となっているが、コ字部４２の下側面であるコ字部下面４６は後述する舌片部４７の下側面である舌片部下面４８と面一となっている。
【００３３】
また、リング部４１の外側側面の上下方向中央部には、水平方向に突出した薄板状の舌片部４７が形成されている。舌片部４７には、後側に通気用に挟幅に切り欠いた舌片切欠き部４９が形成されている。また、リング部４１の後側内面には、前側へ凸の略半円薄板形状の後部タブ５０が形成されている。この後部タブ５０の下側面である後部タブ下面５１は、リング部４１の下側面であるリング部下面５２と面一となっている。なお、舌片切欠き部４９は、空気が通過可能な孔形状であってもよい。
【００３４】
蓋本体２１は、平面視略円形状の平板部６１を有し、この平板部６１の前側であって左右中央部には、スライド蓋２３がスライド嵌合されるスライド嵌合部６２が形成されている。スライド嵌合部６２は、前側が開口した下方に凹の略矩形状を有する。また、スライド嵌合部６２は、前後方向の長さが平板部６１の半径よりも長く形成され、左右方向の長さは平板部６１の半径と同程度の長さに形成されている。また、スライド嵌合部６２の前側端部には、左右方向に幅が広くなった幅広開口部６３が形成されている。
【００３５】
スライド嵌合部６２の底面である底面部６４には、飲料用容器本体１の内部と連通する略矩形状の液通孔２２が形成されている。液通孔２２の前側は開口し、前後方向の長さはスライド嵌合部６２の前後方向の長さの１／２以下であり、左右方向の長さは、スライド嵌合部６２の左右方向の長さよりも短く形成されている。また、液通孔２２の前側端部は、前側方向に向かって緩やかに幅広となっている。
【００３６】
スライド嵌合部６２は、上記底面部６４と、後側の壁である後側壁６５と、左側の壁である左側壁６６と、右側の壁である右側壁６７とから形成されている。後側壁６５、左側壁６６、および右側壁６７は、それぞれ底面部６４から垂直に立設している。後側壁６５は、液通孔２２を完全に開口した状態、すなわちスライド蓋２３を最も後側へスライドさせた状態でスライド蓋２３の後方壁２９と当接する。
【００３７】
左側壁６６には、スライド蓋２３に形成されたスライド嵌合リブ３５が摺動する上スライド溝６８が形成されている。また、上スライド溝６８の下方には、スライド蓋２３に形成されたクリックリブ４０が摺動する下スライド溝６９が形成されている。上スライド溝６８は、下スライド溝６９よりも上下方向の溝幅が狭く形成されている。また、上スライド溝６８は、下スライド溝６９よりも溝の深さが深く形成されている。
【００３８】
下スライド溝６９には、スライド蓋２３を所定の位置で嵌合保持するための凹部が２箇所形成されている。前側の凹部である前クリック受部７０には、スライド蓋２３が液通孔２２を完全に閉口する位置でクリックリブ４０が嵌合する。後側の凹部である後クリック受部７１には、スライド蓋２３が液通孔２２を完全に開口する位置、すなわちスライド蓋２３の後方壁２９が蓋本体２１の後側壁６５に当接する位置でクリックリブ４０が嵌合する。以下、クリックリブ４０が前クリック受部７０に嵌合した状態をスライド蓋２３の閉状態といい、クリックリブ４０が後クリック受部７１に嵌合した状態をスライド蓋２３の開状態という。
【００３９】
右側壁６７には、左側壁６６と同様に上スライド溝６８、下スライド溝６９、前クリック受部７０、および後クリック受部７１が形成されており、それぞれ左側壁６６に形成された上スライド溝６８、下スライド溝６９、前クリック受部７０、および後クリック受部７１と対向する位置関係となっている。
【００４０】
左右のクリックリブ４０，４０間の距離は、左右の下スライド溝６９，６９間の距離よりも長く形成されている。そのため、左右のクリックリブ４０，４０がそれぞれ左右の下スライド溝６９，６９を摺動している時は、左右の弾性部３９，３９はそれぞれ内側に付勢される。そして、クリックリブ４０が前クリック受部７０および後クリック受部７１の位置に移動すると弾性部３９への付勢が解除され、クリックリブ４０が嵌合される。
【００４１】
平板部６１の上面外周部分には、上方に向かって立設した上壁７２が形成されており、その上壁７２の上端には外側に水平に突出した容器受部７３が形成されている。また、蓋体３を飲料用容器本体１に取り付けた際に、飲料用容器本体１の上側の端面である上端面７４が容器受部７３の下側面である容器受部下面７５に当接することにより、蓋体３が飲料用容器本体１に対して位置決めされる。上壁７２および容器受部７３は、スライド嵌合部６２の幅広開口部６３とその両側の一定部分には形成されていない。これにより、飲料用容器本体１内の飲料を飲料用容器本体１に直接口を付けて飲むことができるようになっている。
【００４２】
また、容器受部下面７５の後側には、通気用に容器受部７３の厚さを薄くした通気用段部５３が形成されている。通気用段部５３の前側は直線状に形成され、後側は容器受部７３の外周に沿っているため円弧状に形成されている。
【００４３】
平板部６１の下面の外周よりやや中心よりには、下方に向かって立設した下壁７６が形成されており、その下壁７６の下端には外側に水平に突出した蓋本体下端部７７が形成されている。下壁７６および蓋本体下端部７７の前側は、スライド嵌合部６２の幅広開口部６３と同幅に開口しており、後側には止水部材２４に形成された後部タブ５０を配置するための矩形状のタブ配置部７８が形成されている。また、下壁７６の外側面７９の上下方向中央部には外側に水平に突出した薄板状の溝形成壁８０が形成されている。溝形成壁８０の上側面である溝形成壁上面８１は、底面部６４から立設し幅広開口部６３を形成する開口部壁８２によって遮られているが、スライド嵌合部６２の底面部６４と面一となっている。
【００４４】
蓋本体下端部７７と溝形成壁８０との間には、止水部材２４を嵌合するための溝状の止水部材嵌合部８３が形成されている。
【００４５】
液通孔２２は、スライド嵌合部６２の前側端部を開口し、スライド嵌合部６２の底面部６４から下方に立設した後側の壁である孔後壁８４と、左側の壁である孔左壁８５と、右側の壁である孔右壁８６とにより形成されている。孔後壁８４、孔左壁８５および孔右壁８６の各下端は、蓋本体下端部７７よりも上方に位置している。この孔後壁８４、孔左壁８５および孔右壁８６の各壁の外面に沿って止水部材２４のコ字部４２が嵌合される。
【００４６】
底面部６４の左右方向中央部には、スライド蓋２３を誤って前後反対に取り付けることを防止するための誤装入防止突起３３が形成されている。誤装入防止突起３３は、上方に凸の直方体形状を有しており、その前側の面である前側面部８７は液通孔２２の孔後壁８４と面一となっている。
【００４７】
ここで、スライド蓋２３の蓋本体２１への取付けについて詳述する。まず、蓋本体２１の幅広開口部６３にスライド蓋２３を後方壁２９側から水平にスライドするように押し込む。この際、スライド嵌合リブ３５が上スライド溝６８に、クリックリブ４０が下スライド溝６９にそれぞれ摺動するようにスライド蓋２３の上下方向の位置を調整する。そして、スライド蓋２３を蓋本体２１のスライド嵌合部６２へ押し込んでいくと、誤装入防止切欠き部３４を誤装入防止突起３３が通過し、クリックリブ４０が下スライド溝６９に形成された前クリック受部７０に嵌合され、スライド蓋２３が液通孔２２を完全に閉口した位置で蓋本体２１に保持される。この時、蓋本体２１の平板部６１とスライド蓋２３の小平板部２５により、平面視で中央部に下方に凹の矩形状凹部８８を有する円形状の蓋上面８９が形成される。この蓋上面８９は円形状であるため、平面視円形の飲料用容器本体１の上部開口部２を覆うのに適している。
【００４８】
スライド蓋２３を蓋本体２１のスライド嵌合部６２へさらに押し込んでいくと、徐々に液通孔２２が開口し、スライド蓋２３の後方壁２９が蓋本体２１の後側壁６５に当接する。後方壁２９が後側壁６５に当接した位置で、クリックリブ４０が後クリック受部７１に嵌合され、スライド蓋２３が開状態で保持される。なお、スライド蓋２３を取り外す場合には、スライド蓋２３を前側にスライドさせて幅広開口部６３から引き抜けばよい。
【００４９】
クリックリブ４０が前クリック受部７０および後クリック受部７１に嵌合する時には、使用者は、弾性部３９の付勢が解除される際の反動により、クリック感を感じることができ、クリックリブ４０が前クリック受部７０および後クリック受部７１に嵌合されたことを認識することができる。また、スライド蓋２３が開状態および閉状態では、弾性部３９はスライド蓋２３の自重では変形することがないように設計されているため、使用する際に飲料用容器を傾けても、スライド蓋２３が自動的に開閉することがなく安心して使用することができる。さらに、スライド蓋２３が開状態と閉状態の間の位置にある時は、弾性部３９は内側に付勢されて弾性変形した状態であり、スライド蓋２３は弾性部３９の弾性によりその位置に保持される。そのため、飲料用容器を傾けてもスライド蓋２３が自動的にスライドすることはない。したがって、使用者はスライド蓋２３をスライドさせて液通孔２２の開口量を任意に調整することにより、液通孔２２から流出する飲料の量を調節することができる。
【００５０】
また、誤って、スライド蓋２３を前方壁２８側から蓋本体２１に取り付けようとすると、図６に示すように、前方壁２８が誤装入防止突起３３の前側面８７に当接するため、スライド蓋２３を蓋本体２１のスライド嵌合部６２に押し込むことができない構造となっている。さらに、スライド蓋２３をスライド嵌合部６２の上方から押し込むように取り付けようとしても、左右のスライド嵌合リブ３５，３５間の長さがスライド嵌合部６２の横幅よりも長いため押し込むことができない。
【００５１】
スライド蓋２３の後方壁２９が蓋本体２１の後側壁６５に当接した位置にある時、スライド蓋２３の前方壁２８は、誤装入防止突起３３よりも前側に位置し、前方壁２８は誤装入防止突起３３に接触しない。
【００５２】
次に、止水部材２４の蓋本体２１への取付けについて詳述する。まず、止水部材２４の後部タブ５０を蓋本体２１に形成されたタブ配置部７８に挿入し、リング部４１を止水部材嵌合部８３に嵌合させる。そして、コ字部上面４４を底面部６４の下側面である底面部下面９０に当接させながら、コ字部４２を孔後壁８４、孔左壁８５、および孔右壁８６の外側面に沿うように嵌合させる。なお、止水部材２４は伸縮性を有することから、どの箇所からでも容易に着脱可能である。また、誤って止水部材２４を上下反対に嵌合させようとした場合には、後部タブ下面５１とリング部下面５２が面一に形成されていることから、後部タブ５０が下壁７６に干渉して、リング部４１が止水部材嵌合部８３に嵌合できない構造となっており、使用者が止水部材２４の上下が反対であることを認識することができる。
【００５３】
次に、蓋体３の飲料用容器本体１への取付けについて詳述する。まず、飲料用容器本体１にはあらかじめ所望の飲料を収容しておく。また、蓋本体２１にスライド蓋２３および止水部材２４を嵌合させた後、スライド蓋２３が飲料用容器本体１の上端面７４と干渉しないように、クリックリブ４０を前クリック受部７０に嵌合させた閉状態にしておく。そして、この蓋体３を飲料用容器本体１の上部開口部２上方から下方に向かって押し込むと、舌片部４７が飲料用容器本体１の内面に密接する。さらに、容器受部７３に飲料用容器本体１の上端面７４が当接するまで蓋体３を押し下げると、スライド蓋２３の前方壁２８が飲料用容器本体１の内面部３２に当接し、蓋体３が飲料用容器本体１に完全に嵌合される。なお、蓋体３を飲料用容器本体１から取り外すには、飲料用容器本体１を保持しながら容器受部７３を把持して蓋体３を上方に引き抜けばよい。このように、蓋体３を取り付けることにより、飲料用容器本体１内の保温効果を向上させると共に、飲料用容器本体１内への埃などの落下侵入を防止することができる。
【００５４】
ここで、蓋体３の着脱時の飲料用容器内の空気の流れについて詳述する。図９の矢印Ｉ，Ｏは、閉状態での蓋体３の着脱時の空気の流れを示している。蓋体３を飲料用容器本体１へ押し込む際には、飲料用容器内の空気は矢印Ｏが示すように、止水部材２４に形成された舌片切欠き部４９と内容器５の内面との間隙に形成された第１通気路５４を通って、通気用段部５３と上端面７４との間隙に形成された第２通気路５５から飲料用容器外に排出される。また、蓋体３を飲料用容器本体１から引き抜く際には矢印Ｉが示すように、空気が第２通気路５５から吸入され、第１通気路５４を通って飲料用容器内に至る。このように、第１通気路５４および第２通気路５５が形成されることにより、閉状態でも飲料用容器内の空気の出入りがスムーズに行われ、空気圧による抵抗を受けることなく、蓋体３の着脱を容易に行うことができる。なお、開状態で蓋体３を着脱する場合には、液通孔２２から空気が出入りする。
【００５５】
飲料用容器本体１に蓋体３を取り付けた後、クリックリブ４０が下スライド溝６９に形成された前クリック受部７０と後クリック受部７１との間を往復摺動するように蓋スライド部２３を前後にスライドさせることにより、液通孔２２の開閉を行うことができる。蓋スライド部２３をスライドさせる際は、操作バー２７を指でつまんで操作する。
【００５６】
スライド蓋２３を開状態として液通孔２２を開口させると、飲料用容器本体１の内面と液通孔２２によって飲み口部９１が形成され、この飲み口部９１から飲料用容器本体１に収容した飲料を飲むことができる。飲料用容器本体１の内部には、飲み口部９１に至るまでの飲料の流路に障害となるようなものは無く、飲料用容器本体１内に飲料を残留することなく、全て飲み干すことができる。
【００５７】
このように本実施例では、請求項１に対応して、上部が開口した飲料用容器本体１と、前記飲料用容器本体１の上部開口部２に被着され、液通孔２２を有する蓋本体２１と、前記蓋本体２１とスライド嵌合により着脱自在に取り付けられ、前記液通孔２２をスライドさせて開閉するスライド蓋２３と、を有する飲料用容器の蓋体構造であって、前記スライド蓋２３の左右両側面としての左方壁３０，右方壁３１には、上下方向に切り欠いた縦切欠き部３６と前記縦切欠き部３６の上端から前記縦切欠き部３６と直角に切り欠いた横切欠き３７部が形成され、前記縦切欠き部３６と前記横切欠き部３７によって形成された弾性クリック部としてのクリックリブ４０を設け、前記クリックリブ４０は左右方向外側に凸形状を有し、前記蓋本体２１には前記クリックリブ４０が摺動するスライド溝としての下スライド溝６９が形成され、前記下スライド溝６９には前記クリックリブ４０の突出方向に凹状のクリック受部としての前クリック受部７０と後クリック受部７１が形成され、前記クリックリブ４０が前記前後クリック受部７０，７１に嵌合して前記スライド蓋２３が前記蓋本体２１に保持されることにより、前記蓋本体２１から前記スライド蓋２３を着脱することができ、洗浄性が向上する。また、前記スライド蓋２３に形成された前記クリックリブ４０を前記蓋本体２１に形成された前記前後クリック受部７０，７１に嵌合させて、前記液通孔２２の開閉位置で確実に保持することができる。また、前記スライド蓋２３の前記左方壁３０，前記右方壁３１に形成された前記クリックリブ４０の周囲に空間が設けてあるため、前記クリックリブ４０に弾性を持たせることができ、前記クリックリブ４０が前記前後クリック受部７０，７１に嵌合する際のクリック感をより確実に感じることができる。
【００５８】
また、本実施例では、請求項２に対応して、前記スライド蓋２３の後方面としての後方壁２９に切欠き部としての誤装入防止切欠き部３４が形成され、前記スライド蓋２３のスライド嵌合時に前記誤装入防止切欠き部３４を通過する位置決め突起としての誤装入防止突起３３が前記蓋本体２１に設けられ、前記スライド蓋２３が前後逆の場合に、前記誤装入防止突起３３が前記スライド蓋２３と干渉して前記蓋本体２１にスライド嵌合できないことにより、前記スライド蓋２３の前記蓋本体２１への誤取付けを防止することができる。
【００５９】
また、本実施例では、請求項３に対応して、前記液通孔２２が前記蓋本体２１の外側に開放されて設けてあることにより、該開放部から前記スライド蓋２３をスライドさせて取り外すことができる。また、飲料用容器内の飲料を残水することなく最後まで飲みきることができる。
【００６０】
また、実施例上の効果として、蓋体３を飲料用容器本体１に取り付けたときに、止水部材２４が飲料用容器本体１の内面に密嵌するため、蓋体３を飲料用容器本体１に確実に嵌合することができる。
【００６１】
尚、本発明は、上記実施例に限定されるものではなく、本発明の要旨の範囲内で種々の変形実施が可能である。例えば、実施例ではクリック受部を前後２箇所形成しているが、３箇所以上形成して、スライド蓋に形成されたクリックリブが嵌合する位置を３箇所以上としてもよい。
【符号の説明】
【００６２】
１  飲料用容器本体
２  上部開口部
２１  蓋本体
２２  液通孔
２３  スライド蓋
２９  後方壁（スライド蓋の後方面）
３０  左方壁（スライド蓋の側面）
３１  右方壁（スライド蓋の側面）
３３  誤装入防止突起（位置決め突起）
３４  誤装入防止切欠き部（切欠き部）
３６  縦切欠き部
３７  横切欠き部
４０  クリックリブ（弾性クリック部）
６９  下スライド溝（スライド溝）
７０  前クリック受部（クリック受部）
７１  後クリック受部（クリック受部）
【図１】
0005873123.tif 000002
【図２】
0005873123.tif 000003
【図３】
0005873123.tif 000004
【図４】
0005873123.tif 000005
【図５】
0005873123.tif 000006
【図６】
0005873123.tif 000007
【図７】
0005873123.tif 000008
【図８】
0005873123.tif 000009
【図９】
0005873123.tif 000010